【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
歌声を合成する歌声合成装置であって、
複数の歌唱スタイルの歌声の少なくとも１つについて、前記歌声の少なくとも歌唱表現が反映されるパラメータを含む音響パラメータを学習して得られた音響モデルを当該歌唱スタイルについてのベースモデルとして記憶する記憶部と、
前記ベースモデルが記憶された歌唱スタイルの中から選択された歌唱スタイルを含む少なくとも２つの歌唱スタイルの組合せの程度を調整するインタフェース部と、
歌唱スタイルに含まれる歌唱表現を再現可能な音響パラメータの集まりの中から、前記組合せの程度が調整される前記少なくとも２つの歌唱スタイルの各々に対応する音響パラメータの集まりであって、前記記憶されたベースモデルを用いて得られた音響パラメータの集まりを少なくとも一つ含む、少なくとも２つの音響パラメータの集まりを選択し、前記選択された少なくとも２つの前記歌唱スタイルに影響する音響パラメータを、前記インタフェース部により調整された歌唱スタイルの組合せの程度で補間して、合成用音響パラメータを決定するパラメータ決定部と、
前記合成用音響パラメータを用いて歌声を合成する合成部と
を備え、
前記音響パラメータの集まりには、少なくとも基本周波数および音量が含まれ、
前記歌唱表現が反映されたパラメータには、少なくともビブラート、しゃくり、アタック・リリース、こぶしのうちの１つに対応したパラメータが含まれ、
前記音響パラメータの補間において、前記基本周波数および音量に加えて、前記歌唱表現が反映された前記パラメータも補間される
歌声合成装置。
【請求項２】
前記音響パラメータの集まりには、更にスペクトルパラメータを含む請求項１記載の歌声合成装置。
【請求項３】
前記選択される少なくとも２つの音響パラメータの集まりは、いずれも前記記憶されたベースモデルを用いて得られた音響パラメータの集まりである請求項１または請求項２に記載の歌声合成装置。
【請求項４】
前記選択される少なくとも２つの音響パラメータの集まりのうちの一つは、ルールベースの手法で生成された音響パラメータの集まりである請求項１または請求項２に記載の歌声合成装置。
【請求項５】
歌声を合成する歌声合成装置であって、
複数の歌唱スタイルの歌声のそれぞれに含まれる少なくとも歌唱表現が反映されるパラメータを含む音響パラメータを統計的な手法を用いて学習して得られた音響モデルを、前記歌唱スタイル毎のベースモデルとして記憶した記憶部と、
前記複数の歌唱スタイルの中から選択された少なくとも２つの歌唱スタイルの組合せの程度を、ユーザインタフェースを介した利用者の指示により調整するインタフェース部と、
前記記憶部に記憶された前記複数のベースモデルから、前記選択された少なくとも２つの歌唱スタイルに対応したベースモデルに基づいて生成された前記音響パラメータを、前記インタフェース部により調整された前記歌唱スタイルの組合せの程度で補間した合成用音響パラメータを抽出する補間抽出部と
前記合成用音響パラメータを用いて歌声を合成する合成部と
を備え、
前記音響パラメータの集まりには、少なくとも基本周波数および音量が含まれ、
前記歌唱表現が反映されるパラメータには、少なくともビブラート、しゃくり、アタック・リリース、こぶしのうちの１つに対応したパラメータが含まれ、
前記補間した合成用音響パラメータを抽出する際には、前記基本周波数および音量に加えて、前記歌唱表現が反映される前記パラメータも補間されて抽出される
歌声合成装置。
【請求項６】
請求項５に記載の歌声合成装置であって、
前記音響パラメータの集まりには音素の継続長が含まれ、
前記歌唱スタイルの組合せの程度で補間した合成用音響パラメータを抽出する際、各音素の継続長も補間して抽出する
歌声合成装置。
【請求項７】
前記歌唱スタイルの組合せの程度は、前記音響パラメータ毎に設定する請求項１から請求項６のいずれか一項に記載の歌声合成装置。
【請求項８】
前記歌唱表現が反映されるパラメータには、少なくとも発声開始タイミング、発声終了タイミングのいずれか１つに対応したパラメータが含まれる請求項１から請求項５のいずれか一項に記載の歌声合成装置。
【請求項９】
請求項１から請求項４のいずれか一項に記載の歌声合成装置であって、
前記補間は、前記音響パラメータを線形結合または非線形結合することにより行なわれる歌声合成装置。
【請求項１０】
前記補間は、音符単位、音素単位、音節単位、フレーズ単位、曲単位、所定の時間単位のいずれか１つにより行なう請求項９に記載の歌声合成装置。
【請求項１１】
請求項５に記載の歌声合成装置であって、
前記歌唱スタイルの組合せの程度の調整は、前記ベースモデルの内部パラメータを補間することにより行なわれる歌声合成装置。
【請求項１２】
前記補間は、前記ベースモデルの内部パラメータを線形結合または非線形結合することにより行なわれる請求項１１記載の歌声合成装置。
【請求項１３】
前記補間は、ベースモデルの状態単位で行なう請求項１１または請求項１２に記載の歌声合成装置。
【請求項１４】
前記補間は、内挿補間または外挿補間である請求項９から請求項１３のいずれか一項に記載の歌声合成装置。
【請求項１５】
前記記憶されたベースモデルの１つは、予め用意された標準的な音響パラメータからなるベースモデルである請求項１から請求項１４のいずれか一項に記載の歌声合成装置。
【請求項１６】
請求項１から請求項１５のいずれか一項に記載の歌声合成装置であって、
更に、画像表示装置とポインティングデバイスとを備え、
前記インタフェース部は、
前記画像表示装置上に描画されるグラフィカルユーザインタフェースであり、
前記グラフィカルユーザインタフェースとして前記画像表示装置上に描画された画面を前記ポインティングデバイスにより操作することにより、前記組合せの程度が変更される
歌声合成装置。
【請求項１７】
歌声を合成する歌声合成方法であって、
複数の歌唱スタイルの歌声の少なくとも１つについて、前記歌声の少なくとも歌唱表現が反映されるパラメータを含む音響パラメータを学習して得られた音響モデルを当該歌唱スタイルについてのベースモデルとして記憶し、
前記ベースモデルが記憶された歌唱スタイルの中から選択された歌唱スタイルを含む少なくとも２つの歌唱スタイルの組合せの程度を調整し、
歌唱スタイルに含まれる歌唱表現を再現可能な音響パラメータの集まりの中から、前記歌唱スタイルの組合せの程度が調整される前記少なくとも２つの歌唱スタイルの各々に対応する音響パラメータの集まりであって、前記記憶されたベースモデルを用いて得られた音響パラメータの集まりを少なくとも一つ含む、少なくとも２つの音響パラメータの集まりを選択し、前記選択された少なくとも２つの前記歌唱スタイルに影響する音響パラメータを、前記調整された歌唱スタイルの組合せの程度で補間して、合成用音響パラメータを決定し、
前記合成用音響パラメータを用いて歌声を合成し、
前記音響パラメータの集まりには、少なくとも基本周波数および音量を含み、
前記歌唱表現が反映されたパラメータには、少なくともビブラート、しゃくり、アタック・リリース、こぶしのうちの１つに対応したパラメータを含み、
前記音響パラメータの補間において、前記基本周波数および音量に加えて、前記歌唱表現が反映された前記パラメータも補間する
歌声合成方法。
【請求項１８】
歌声を合成する歌声合成方法であって、
複数の歌唱スタイルの歌声のそれぞれに含まれる少なくとも歌唱表現が反映されるパラメータを含む音響パラメータを統計的な手法を用いて学習して得られた音響モデルを、前記歌唱スタイル毎のベースモデルとして記憶部に記憶し、
前記複数の歌唱スタイルの中から選択された少なくとも２つの歌唱スタイルに含まれる前記歌唱スタイルの組合せの程度を、ユーザインタフェースを介した利用者の指示により調整し、
前記記憶部に記憶された前記複数のベースモデルから、前記選択された少なくとも２つの歌唱スタイルに対応したベースモデルに基づき、前記調整された組合せの程度で前記歌唱スタイルを補間した合成用音響パラメータを抽出し、
前記合成用音響パラメータを用いて歌声を合成し、
前記音響パラメータの集まりには、少なくとも基本周波数および音量を含み、
前記歌唱表現が反映されるパラメータには、少なくともビブラート、しゃくり、アタック・リリース、こぶしのうちの１つに対応したパラメータを含み、
前記補間した合成用音響パラメータを抽出する際には、前記基本周波数および音量に加えて、前記歌唱表現が反映される前記パラメータも補間して抽出する
歌声合成方法。